(57)【特許請求の範囲】
【請求項１】
室内と室外を連通する換気風路を形成するダクトと、このダクトに嵌挿する筒状で内面下方に仕切部を有し、前部にはフランジ部を設けた本体部と、この本体部の室外側端部上方を支点に可動自在で、前記仕切部に当接しない形状で垂下され通風量が調節可能な調節板とを備え、前記調節板を、左右に第１の通風開口が形成され下方に第２の通風開口が形成される垂下板と、この垂下板より巾広で垂下板の下端部より室外側に向け折り曲げられた折曲板と、この折曲板の反対側に、前記垂下板の左右より室内側に向け突出する舌板とを設け構成した換気装置。
【請求項２】
本体部に設けられる仕切部を室外側から室内側に向かい上昇する形状で、調節板が室内側に向かい可動したときの折曲板の傾斜と略同一の傾斜となるように形成した請求項１記載の換気装置。
【請求項３】
調節板の垂下板と折曲板を連設する角部を面取り、または曲面形状に形成した請求項１または２記載の換気装置。
【請求項４】
本体部とダクトを一体に成形し、主体部を形成した請求項１、２または３記載の換気装置。
【請求項５】
主体部よりフランジ部を分離し、フランジ部を前記主体部に直接、または、通風部材を介して着脱自在に設け壁部または天井に設置可能に構成した請求項４記載の換気装置。
【発明の詳細な説明】
【０００１】
【発明の属する技術分野】
本発明は、室外側と室内側を連通するように壁部等に設けられるダクトに装着され略一定風量で自然換気を行う換気装置に関する。
【０００２】
【従来の技術】
近年、住宅内の生活環境の良化を図るために略一定風量で自然換気を行う換気装置を設置することが普及している。
【０００３】
従来、この種の換気装置の一例として図１５および図１６に示されるものが知られている。以下、その換気装置の構成について図１５および図１６を参照しながら説明する。
【０００４】
図に示すように、室内と室外を連通するダクト１０１内に装着される筒状で上部ほど突出量が大きく略くの字状の室外側開口１０２を形状し、下方内面には仕切板１０３を設け、室内側の端部外方にはフランジ部１０４を設けて本体部１０５を形成し、本体部１０５の室外側に突出している室外側の端部に、断面Ｌ字状で可動することにより通風量が調節される調節板１０６を可動自在に垂下し、本体部１０５をダクト１０１に装着するときには、本体部１０５の周囲にパッキン１０７を設け装着していた。
【０００５】
また、この種の換気装置に適応するものの他の例として特許番号第２８９４４２４号公報に記載された通風調節装置が知られている。以下、その構成について図１７および図１８を参照しながら説明する。
【０００６】
図に示すように、室内と室外を連通する換気風路２０１の一部に介在させ、換気風路２０１による通風を調節する装置であり、換気風路２０１に装着され、その換気風路２０１より径が小さくて上部ほど突出量の大きい斜めの開口に構成された通風方向において上流側となる入口開口端２０２と入口開口端２０２の対向側に出口開口端２０３とを有する調節筒２０４を設け、調節筒２０４の入口開口端２０２は、調節筒２０４の室外側をそのまま延長されたスリーブ２０５により被覆されていて、換気風路２０１より急縮小により径が小さく形成され、スリーブ２０５の開放端は調節筒２０４の入口開口端２０２より上流側に位置していて、スリーブ２０５の外周には周方向に間隔をおいて取付バネ２０６が設けられ、調節筒２０４の入口開口端２０２の上部に通風方向への回動を自由にできるように垂下された調節板２０７を設け、調節板２０７の下部および側部から調節筒２０４への通風がなされるように構成されていた。
【０００７】
【発明が解決しようとする課題】
このような従来の前者における換気装置では、本体部１０５とダクト１０１の嵌合長さｌに対し、本体部１０５の全長Ｌが長くなくなるとともに、調節板１０６の垂直板１０６ａと本体部１０５の内面間との通風１０７ａが小さいので、水平板１０６ｂの下方に形成される通風開口１０７ｂを通る通風量のみにて調節されているため、調節範囲が狭く、通風量を常に略一定にすることは困難で未だ不十分であるという課題があった。
【０００８】
また、後者の通風調節装置では、調節筒２０４は、上部ほど突出量が大きい斜めの開口を形成する入口開口端２０２を形成するための調節筒２０４の長さは斜めの開口を形成しない場合に比較して全長が長くなり、更に換気風路２０１に取付バネ２０６を介して取り付けるスリーブ２０５の開放端部分は調節筒２０４の入口開口端２０２より上流側に位置しているためスリーブ２０５の長さも長くなり装置全体として全長が長くなるので換気風路２０１の短いもの、すなわち壁厚の薄いときには、適確に装着するのが困難となるとともに、調節筒２０４とスリーブ２０５の二重構造が必要となり構造が複雑となる課題があった。
【０００９】
本発明は上記課題を解決するもので、広範囲の静圧下において一定風量を得ることができ、また、換気風路の短いダクトにも適確に装着できる構造の簡単な換気装置を提供することを目的とする。
【００１０】
【課題を解決するための手段】
本発明の換気装置においては、室内と室外を連通する換気風路を形成するダクトと、このダクトに嵌挿する筒状で内面下方に仕切部を有し、前部にはフランジ部を設けた本体部と、この本体部の室外側端部上方を支点に可動自在で、前記仕切部に当接しない形状で垂下され通風量が調節可能な調節板とを備え、前記調節板を、左右に第１の通風開口が形成され下方に第２の通風開口が形成される垂下板と、この垂下板より巾広で垂下板の下端部より室外側に向け折り曲げられた折曲板と、この折曲板の反対側に、前記垂下板の左右より室内側に向け突出する舌板とを設け構成したものである。
【００１１】
この本発明によれば、広範囲の静圧下において一定風量を得ることができ、また、換気風路の短いダクトにも適確に装着できる構造の簡単な換気装置を提供することができる。
【００１２】
【発明の実施の形態】
本発明の請求項１に記載の発明は、室内と室外を連通する換気風路を形成するダクトと、このダクトに嵌挿する筒状で内面下方に仕切部を有し、前部にはフランジ部を設けた本体部と、この本体部の室外側端部上方を支点に可動自在で、前記仕切部に当接しない形状で垂下され通風量が調節可能な調節板とを備え、前記調節板を、左右に第１の通風開口が形成され下方に第２の通風開口が形成される垂下板と、この垂下板より巾広で垂下板の下端部より室外側に向け折り曲げられた折曲板と、この折曲板の反対側に、前記垂下板の左右より室内側に向け突出する舌板とを設け換気装置の構成としたものであり、室外側の外気圧が高くなり調節板が室内側に向け傾くと、舌板が本体部内を通る風の流れに対向するように立ち上がり、舌板によって通風開口面積が減少され風量の増加が抑えられ、それに対して静圧が急増することとなり、舌板によって静圧の広範囲の圧力分布において、一定風量が得られるという作用を有する。
【００１３】
以下、本発明の実施の形態について図１〜図１４を参照しながら説明する。
【００１４】
（実施の形態１）
図１〜図８に示すように、室内１と室外２を連通する換気風路３を形成するダクト４の室内側端部に嵌挿する筒状で内面下方に仕切部５を有し、前部には壁面６に当接するように外方に突出したフランジ部７を設けて本体部８を形成し、本体部８の室外２側の上方に第１の軸受９Ａと切欠き９ａを設けた第２の軸受９Ｂを並設して本体部８に一体に設け、第１の軸受９Ａと第２の軸受９Ｂにおいて支点となるように軸支される第１の軸１０Ａと第２の軸１０Ｂを設け、通風量が調節されるように可動自在に垂下し、垂下したとき仕切部５に当接しない形状の調節板１１を設ける。
【００１５】
そして、調節板１１は第１の軸１０Ａと第２の軸１０Ｂに連結した略方形状で左右に第１の通風開口１２が形成される垂下板１３を設け、垂下板１３の下方に第２の通風開口１４を形成し、垂下板１３より巾広で垂下板１３の下端部より室外２側に向け折り曲げられた折曲板１５を設け、折曲板１５の反対側に垂下板１３の左右より室内１側に向け突出する一対の舌板１６を設け、本体部８の外周には、ダクト４に装着したときに作用するパッキン１７を設け構成する。
【００１６】
上記構成において、本体部８に調節板１１を取り付けるときには、調節板１１に設けた第１の軸１０Ａを本体部８に設けた第１の軸受９Ａに係合した後、第２の軸受９Ｂに設けた切欠き９ａより第２の軸１０Ｂを第２の軸受９Ｂに係合して調節板１１を上方を支点に垂下板１３の左右に第１の通風開口１２を形成し、調節板１１の下方には第２の通風開口１４を形成する。
【００１７】
また、本体部８をダクト４に装着するときには、本体部８をダクト４の室内２側端部よりダクト４内にパッキン１７を介して装着し、フランジ部７を壁面６に当接させねじ等により固定し、フランジ部７には、フランジ部７に着脱自在に設けられるグリル（図示せず）等を設けることとなる。
【００１８】
このように本体部８が装着された状態で、室外２側の外気圧が高まると室外２側より室内１側に向かい空気が流れるようになり、そのときの風量をＱ１とすると、風量がＱ１のときには、図４および図５に示すように調節板１１は垂下板１３に加わる風圧により傾き、略水平状態にあった折曲板１５および舌板１６が傾き、第１の通風開口１２および第２の通風開口１４は徐々に狭くなり、室内１側に流入する外気の通風量が調節され静圧はＰ１の状態となる。
【００１９】
そして外気圧が例えば強風時のように更に高まると、図６および図７に示すように、調節板１１が更に傾き、調節板１１の折曲板１５の先端部が仕切部５の上端部近傍に移動し、折曲板１５と仕切部５間に形成される第２の通風開口１４は略閉鎖状態となり、一方舌板１６が更に傾き立ち上がり状態となることにより第１の通風開口１２の通風面積も減少することとなり、外気圧が高まるにともない第１の通風開口１２および第２の通風開口１４の通風開口面積が減少され、図８に示す抵抗損失曲線に示すように通風量の増加が抑えられ、それに対して静圧が増加することとなり、舌板１６の存在によって静圧Ｐ１〜Ｐ２の広範囲において略一定風量が得られることとなる。
【００２０】
また、本体部８の全長は従来例で示したダクトとの嵌合長さｌと略同寸法のＬ１となり従来例で示す本体部の全長Ｌよりは大巾に短くなることとなる。
【００２１】
このように本発明の実施の形態１の換気装置によれば、室内１と室外２を連通する換気風路３を形成するダクト４に嵌挿する筒状で内面下方に仕切部５を有し、前部にはフランジ部７を設け本体部８を形成し、本体部８の室外２側端部上方を支点に可動自在で、仕切部５に当接しない形状で垂下され通風量が調節可能な調節板１１を備え、調節板１１の左右に第１の通風開口１２が形成され、下方に第２の通風開口１４が形成される垂下板１３と、この垂下板１３より巾広で垂下板１３の下端部より室外２側に向け折り曲げられた折曲板１５と、この折曲板１５の反対側に垂下板１３の左右より室内１側に向け突出する舌板１６とを設けたので、静圧Ｐ１〜Ｐ２の広範囲の静圧下において一定風量を得ることができるとともに、本体部８の全長を短く形成できることにより換気風路３の短いダクト４に適確に装着することができる。
【００２２】
（実施の形態２）
図９に示すように、本体部８Ａに設けられる仕切部５Ａを室外２側から室内１側に向かい上昇する形状で、調節板１１が室内１側に向かい可動したときの折曲板１５の傾斜と略同一の傾斜となるように形成する。
【００２３】
上記構成において、外気圧が高く外気が室外２側から室内１側に流れるときには調節板１１が室内１側に向け傾き、調節板１１に設けた略水平状態にあった折曲板１５が傾き第２の通風開口１２Ａが形成される。
【００２４】
そして、室外２側から本体部８Ａ内に流入した空気は、仕切部５Ａの傾斜面５ａに沿い案内されてスムーズに流れることとなる。
【００２５】
このように本発明の実施の形態２の換気装置によれば、本体部８Ａに設けられる仕切部５Ａを室外２側から室内１側に向かい上昇する形状で調節板１１が室内１側に向かい可動したときの折曲板１５の略同一の傾斜となる傾斜面５ａを形成したので、室外２側から室内１側に向かい流れる空気流のうち調節板１１の折曲板１５と仕切部５Ａにより形成される第２の通風開口１４Ａに流れる空気流は抵抗が少ない状態でスムーズに通風されることとなる。
【００２６】
（実施の形態３）
図１０および図１１に示すように、調節板１１Ａの垂下板１３Ａと折曲板１５Ａを連設する角部を面取り１８または曲面形状１９に形成した構成とする。
【００２７】
上記構成において、外気圧が小さく外気が室外２側から室内１側にゆるやかに流れるときには、調節板１１Ａの傾きが小さく折曲板１５Ａは、略水平状態であるため、折曲板１５Ａの下面に沿い流れる気流は仕切部５に向かい流れることとなるが、このとき、調節板１１Ａの垂下板１３Ａと折曲板１５Ａを連設する角部に形成される面取り１８または曲面形状１９の面に沿い気流が流れ、気流は仕切部５の上方側に誘引されてスムーズに流れることとなる。
【００２８】
このように本発明の実施の形態３の換気装置によれば、調節板１１Ａの垂下板１３Ａと折曲板１５Ａを連接する角部を面取り１８または曲面形状１９に形成したので、外気圧が小さく調節板１１Ａの傾きが小さいときに折曲板１５Ａの下方を流れる空気流が面取り１８または曲面形状１９に沿い流れ、空気抵抗が少なくなってスムーズに流れることができる。
【００２９】
（実施の形態４）
図１２に示すように、本体部８Ｂとダクト４Ａを一体に形成した主体部２０を構成する。
【００３０】
上記構成において、成形時には本体部８Ｂとダクト４Ａを一体にした主体部２０を成形することにより本体部８Ｂとダクト４Ａを別々に成形する場合と比較して成形が容易にできるとともに、本体部８Ｂをダクト４Ａに装着するためのバネやパッキン等が不要で構成要素が少なくなる。また、設置時においても、壁部等にダクト４Ａを設置するときに本体部８Ｂも同時に設置できるとともに、フランジ部７により本体部８Ｂとダクト４Ａよりなる主体部２０を固定することができる。
【００３１】
このように本発明の実施の形態４の換気装置によれば、本体部８Ｂとダクト４Ａを一体に成形し主体部２０を形成したので、構成要素が少なくなり成形が容易で、本体部８Ｂとダクト４Ａが同時に設置でき、設置が容易となるとともに、本体部８Ｂおよびダクト４Ａの固定も主体部２０をフランジ部７で固定することで行うことができる。
【００３２】
（実施の形態５）
図１３に示すように、本体部８Ｃとダクト４Ａが一体に形成された主体部２０Ａよりフランジ部７Ａを分離し、フランジ部７Ａに、主体部２０Ａ内に嵌挿する筒部２１を設け、フランジ部７Ａを主体部２０に着脱自在に取り付けられる構成とする。
【００３３】
上記構成において、換気装置を壁部２２に設置するときには、主体部２０Ａを壁部２２に設け、室内１側より主体部２０Ａに、フランジ部７Ａの筒部２１を嵌挿してフランジ部７Ａを壁部２２に固定して設置する。
【００３４】
また、換気装置を天井２３に設置するときには、図１４に示すように、天井２３にフランジ部７Ａを設け、フランジ部７Ａを室内１と連通し、天井裏に設けられる主体部２０Ａとを通風部材２４を介して接続し、主体部２０Ａの他方に室外２と連通するダクト４Ｂを接続して天井裏を介し室内１と室外２を連通させて設置する。
【００３５】
このように本発明の実施の形態５の換気装置によれば、主体部２０Ａよりフランジ部７Ａを分離し、フランジ部７Ａを主体部２０Ａに直接または通風部材２４を介して着脱自在に設けたので、換気装置を壁部２２に設置したり、天井２３に設置することが可能となり使用範囲が広くなって使い勝手が良くなる。
【００３６】
【発明の効果】
以上の実施例から明らかなように、本発明によれば、室内と室外を連通する換気通路を形成するダクトと、このダクトに嵌挿する筒状で内面下方に仕切部を有し、前部にはフランジ部を設けた本体部と、この本体部の室外側端部上方を支点に可動自在で前記仕切部に当接しない形状で垂下され通風量が調節可能な調節板とを備え、前記調節板を左右に第１の通風開口が形成され、下方に第２の通風開口が形成される垂下板と、この垂下板より巾広で垂下板の下端部より室外側に向け折り曲げられた折曲板と、この折曲板の反対側に前記垂下板の左右より室内側に向け突出する舌板とを設け構成したので、広範囲の静圧下において、一定風量を得ることができるとともに、換気風路の短いダクトにも適確に装着できる構造の簡単な換気装置を提供することができる。
【００３７】
また、本体部に設けられる仕切部を室外側から室内側に向かい上昇する形状で、調節板が室内側に向かい可動したときの折曲板の傾斜と略同一の傾斜となるように形成したので、第２の通風開口に流れる空気流は抵抗が少ない状態でスムーズに流れ通風される。
【００３８】
また、調節板の垂下板と折曲板を連接する角部を面取りまたは曲線形状に形成したので、空気流は角部の面取りまたは曲面形状に沿い流れる空気流に誘引され空気抵抗の少ない状態でスムーズに流れる。
【００３９】
また、本体部とダクトを一体に成形し主体部を形成したので、構成要素が少なくなり成形および設置が容易にできる。
【００４０】
また、主体部よりフランジ部を分離し、フランジ部を前記主体部に直接または通風部材を介して着脱自在に設け、壁部または天井に設置可能としたので、使用範囲が広くなって使い勝手が良くなる。
【図面の簡単な説明】
【図１】本発明の実施の形態１の換気装置の構成を示す断面図
【図２】同換気装置の構成を示す正面図
【図３】同換気装置の調節板の構成を示す斜視図
【図４】同換気装置の風量Ｑ１時の調節板の状態を示す断面図
【図５】同換気装置の風量Ｑ１時の調節板の状態を示す正面図
【図６】同換気装置の風量Ｑ２時の調節板の状態を示す断面図
【図７】同換気装置の風量Ｑ２時の調節板の状態を示す正面図
【図８】同換気装置の抵抗損失曲線図
【図９】本発明の実施の形態２の換気装置の構成を示す断面図
【図１０】本発明の実施の形態３の換気装置の構成を示す断面図
【図１１】同換気装置の他の例の構成を示す断面図
【図１２】本発明の実施の形態４の換気装置の構成を示す断面図
【図１３】本発明の実施の形態５の換気装置の構成を示す断面図
【図１４】同換気装置の他の例の構成を示す断面図
【図１５】従来の換気装置の構成を示す断面図
【図１６】同換気装置の構成を示す断面図
【図１７】同通風調節装置の取付状態を示す断面図
【図１８】同通風調節装置の構成を示す断面図
【符号の説明】
１      室内
２      室外
３      換気風路
４      ダクト
４Ａ    ダクト
５      仕切部
５Ａ    仕切部
７      フランジ部
７Ａ    フランジ部
８      本体部
８Ａ    本体部
８Ｂ    本体部
１１    調節板
１１Ａ  調節板
１２    第１の通風開口
１３    垂下板
１３Ａ  垂下板
１４    第２の通風開口
１５    折曲板
１５Ａ  折曲板
１６    舌板
１８    面取り
１９    Ｒ形状
２０    主体部
２０Ａ  主体部
２１    筒部
２２    壁部
２３    天井
２４    通風部材
【図１】
0003775980.tif 000002
【図２】
0003775980.tif 000003
【図３】
0003775980.tif 000004
【図４】
0003775980.tif 000005
【図５】
0003775980.tif 000006
【図６】
0003775980.tif 000007
【図７】
0003775980.tif 000008
【図８】
0003775980.tif 000009
【図９】
0003775980.tif 000010
【図１０】
0003775980.tif 000011
【図１１】
0003775980.tif 000012
【図１２】
0003775980.tif 000013
【図１３】
0003775980.tif 000014
【図１４】
0003775980.tif 000015
【図１５】
0003775980.tif 000016
【図１６】
0003775980.tif 000017
【図１７】
0003775980.tif 000018
【図１８】
0003775980.tif 000019